(57)【要約】      （修正有）【課題】エラー検知時に不要な再読取処理や画像確認を行うことなく、読み取り作業の効率を向上させることができる画像読取装置を提供する。【解決手段】画像読取装置２００において、操作パネル上で重送エラーやＪＡＭエラーの検知時にＰＣ２１４にエラーを通知するか否かを予め設定する。そして、エラー検知時にエラーを通知しない設定がなされている場合、排紙センサによる原稿の排紙が検出されるまでは、ＰＣ２１４への画像データの送出を保留する。【選択図】図３
2010041099.tif 000002
【特許請求の範囲】
【請求項１】
原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置において、
前記エラー検知手段により検知された所定のエラーを前記情報処理装置に通知するか否かを設定するエラー後処理設定手段と、
前記エラー後処理設定手段により所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御手段とを有することを特徴とする画像読取装置。
【請求項２】
前記エラー検知手段には、前記所定のエラーとしての原稿の重送を検知する重送検知手段および前記所定のエラーとしての原稿の滞留を検知する滞留検知手段の少なくとも一方が含まれることを特徴とする請求項１記載の画像読取装置。
【請求項３】
前記エラー後処理設定手段は、前記所定のエラーを前記情報処理装置に通知するか否かを、前記所定のエラーごとに設定可能であることを特徴とする請求項２記載の画像読取装置。
【請求項４】
原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置の制御方法において、
前記エラー検知手段により検知された所定のエラーを前記情報処理装置に通知するか否かを設定するエラー後処理設定工程と、
前記エラー後処理設定工程にて所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御工程とを有することを特徴とする画像読取装置の制御方法。
【請求項５】
原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置の制御方法をコンピュータに実行させるプログラムにおいて、
前記エラー検知手段により検知する所定のエラーを前記情報処理装置に通知するか否かを設定するエラー後処理設定ステップと、
前記エラー後処理設定ステップにて所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御ステップとを有することを特徴とするプログラム。
【請求項６】
アプリケーションを動作させて画像読取装置を制御する情報処理装置に接続され、該情報処理装置に送出される画像データを搬送路上を搬送される原稿から読み取る読取手段と、原稿の搬送状態に応じて所定のエラーを検知して前記情報処理装置に当該所定のエラーの内容を示すエラー検知情報を送出するエラー検知手段と、搬送路から原稿が排出されたことを検出する排紙検出手段とを備える画像読取装置の制御方法において、
前記情報処理装置に送信した所定のエラー検知情報を前記アプリケーションに通知するか否かを設定するエラー後処理設定工程と、
前記エラー後処理設定工程にて所定のエラー検知情報を前記アプリケーションに通知しないように設定がなされている場合、前記読取手段により画像データが読み取られた原稿の排紙を前記排紙検出手段により検出するまでは、当該原稿からの読取済み画像データの少なくとも一部分の送出を保留する制御工程とを有することを特徴とする画像読取装置の制御方法。
【請求項７】
前記エラー検知情報には、原稿の重送を検知する重送検知手段により検知されたエラーを示す重送検知エラー情報および原稿の滞留を検知する滞留検知手段により検知されたエラーを示す滞留検知エラー情報のすくなくとも１つが含まれることを特徴とする請求項６記載の画像読取装置の制御方法。
【請求項８】
前記エラー後処理設定工程は、前記エラー検知情報を前記アプリケーションに通知するか否かを、エラー検知情報ごとに設定可能であることを特徴とする請求項７記載の画像読取装置の制御方法。
【請求項９】
アプリケーションを動作させて画像読取装置を制御する情報処理装置に接続され、該情報処理装置に送出される画像データを搬送路上を搬送される原稿から読み取る読取手段と、原稿の搬送状態に応じて所定のエラーを検知して前記情報処理装置に当該所定のエラーの内容を示すエラー検知情報を送出するエラー検知手段と、搬送路から原稿が排出されたことを検出する排紙検出手段とを備える画像読取装置の制御方法をコンピュータに実行させるプログラムにおいて、
前記情報処理装置に送信した所定のエラー検知情報を前記アプリケーションに通知するか否かを設定するエラー後処理設定ステップと、
前記エラー後処理設定ステップにより所定のエラー検知情報を前記アプリケーションに通知しないように設定がなされている場合、前記読取手段により画像データが読み取られた原稿の排紙を前記排紙検出手段により検出するまでは、当該原稿からの読取済み画像データの少なくとも一部分の送出を保留する制御ステップとを有することを特徴とするプログラム。
【請求項１０】
搬送路上を搬送される原稿の画像を読み取る画像読取装置に接続され、該画像読取装置から送出される画像データ及び所定のエラー検知情報及び該原稿が排紙されたことを示す原稿排紙情報を受信し、アプリケーションを動作させて前記画像読取装置を制御する情報処理装置の制御方法において、
前記画像読取装置から受信した所定のエラー検知情報を前記アプリケーションに通知するか否かを設定するエラー後処理設定工程と、
前記エラー後処理設定工程にて所定のエラー検知情報を前記アプリケーションに通知しないように設定がなされている場合、前記受信した原稿排紙情報に基づき、前記画像読取装置により画像データが読み取られた原稿の排紙を検出するまで、当該原稿からの読取済み画像データの少なくとも一部分の前記アプリケーションへの引渡しを保留する制御工程とを有することを特徴とする情報処理装置の制御方法。
【請求項１１】
前記エラー検知情報には、原稿の重送を検知する重送検知手段により検知されたエラーを示す重送検知エラー情報および原稿の滞留を検知する滞留検知手段により検知されたエラーを示す滞留検知エラー情報の少なくとも１つが含まれることを特徴とする請求項１０記載の情報処理装置の制御方法。
【請求項１２】
搬送路上を搬送される原稿の画像を読み取る画像読取装置に接続され、該画像読取装置から送出される画像データ及び所定のエラー検知情報及び該原稿が排紙されたことを示す原稿排紙情報を受信し、アプリケーションを動作させて前記画像読取装置を制御する情報処理装置の制御方法をコンピュータに実行させるプログラムにおいて、
前記画像読取装置から受信した所定のエラー検知情報を前記アプリケーションに通知するか否かを設定するエラー後処理設定ステップと、
前記エラー後処理設定ステップにて所定のエラー検知情報を前記アプリケーションに通知しないように設定がなされている場合、前記受信した原稿排紙情報に基づき、前記画像読取装置により画像データが読み取られた原稿の排紙を検出するまで、当該原稿からの読取済み画像データの少なくとも一部分の前記アプリケーションへの引渡しを保留する制御ステップとを有することを特徴とするプログラム。
【発明の詳細な説明】
【技術分野】
【０００１】
本発明は、画像読取装置及びその制御方法、ならびにプログラムに関し、特に、原稿を読み取って得られた画像データを記憶する画像読取装置及びその制御方法、ならびにプログラムに関する。
【背景技術】
【０００２】
従来、スキャナ等の画像読取装置には、原稿台上に載置された複数枚の原稿を１枚ずつ分離して給紙し、該原稿の画像を読み取り、得られた画像データを、当該画像読取装置に接続されたパーソナルコンピュータ等の情報処理装置に送信するものがある。画像読取前には、オペレータが、情報処理装置内のスキャナドライバや画像キャプチャアプリケーションを利用して、画像読取時の解像度、画像サイズ、原稿の重送を検知する重送検知の有効／無効、画像データのファイル名やファイル形式などの設定を行っていた。
【０００３】
このような画像読取装置では、画像データが情報処理装置に送出されている最中に後続する原稿に重送やＪＡＭなどが発生したときは、原稿送りエラーとして紙送り動作及び画像データの送出が中止される。一方、情報処理装置側のスキャナドライバでは、画像データ受信不良として画像データの保存処理が中止される。このとき、スキャナドライバから画像キャプチャアプリケーションに原稿送りエラーが通知され、図１４、図１６に示すエラーが発生した旨の画面（エラーダイアログ）が情報処理装置のモニタ上に表示される。この場合、オペレータは、画像キャプチャアプリケーションなどにより情報処理装置に保存された画像ファイルの中から、エラーが発生した原稿の読み取り画像の確認等を行った後、原稿の読み取り作業をやり直すようにしている（例えば、特許文献１参照）。
【特許文献１】特開２００１−２８１９３８号公報（第３頁〜第６頁）
【発明の開示】
【発明が解決しようとする課題】
【０００４】
しかしながら、上記特許文献１の画像読取装置では、原稿束の画像読取処理中にエラーが発生すると、エラーが発生した原稿束の画像データをメモリから削除してしまうため、再度初めから原稿束の読取を行う必要があり、読み取り作業の効率を低下させている。
【０００５】
また、画像の読み取りは終了しているが、原稿排紙までの間に原稿送りエラーが発生した場合、オペレータには、エラーを起こした原稿が正常に読み取られたのかどうかが分からず、情報処理装置にて読み取られた画像を確認する必要がある。
【０００６】
本発明は、上記問題に鑑みて成されたものであり、エラー検知時に不要な再読取処理や画像確認を行うことなく、読み取り作業の効率を向上させることができる画像読取装置及びその制御方法、ならびにプログラムを提供することを目的とする。
【課題を解決するための手段】
【０００７】
上記目的を達成するために、請求項１記載の画像読取装置は、原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置において、前記エラー検知手段により検知された所定のエラーを前記情報処理装置に通知するか否かを設定するエラー後処理設定手段と、前記エラー後処理設定手段により所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御手段とを有することを特徴とする。
【０００８】
上記目的を達成するために、請求項４記載の画像読取装置の制御方法は、原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置の制御方法において、前記エラー検知手段により検知された所定のエラーを前記情報処理装置に通知するか否かを設定するエラー後処理設定工程と、前記エラー後処理設定工程にて所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御工程とを有することを特徴とする。
【０００９】
上記目的を達成するために、請求項５記載のプログラムは、原稿を搬送路上に搬送する搬送手段と、搬送路上の原稿の画像を読み取る読取手段と、原稿の搬送状態に応じて所定のエラーを検知するエラー検知手段と、搬送路から原稿が排出されたことを検出する排紙検出手段とを有し、情報処理装置に画像データを送出する画像読取装置の制御方法をコンピュータに実行させるプログラムにおいて、前記エラー検知手段により検知する所定のエラーを前記情報処理装置に通知するか否かを設定するエラー後処理設定ステップと、前記エラー後処理設定ステップにて所定のエラーを前記情報処理装置に通知しない設定がなされている場合、前記読取手段により画像データが読み取られた原稿の排紙が前記排紙検出手段により検出されるまでは、前記情報処理装置への当該原稿からの読取済み画像データの少なくとも一部分の送出を保留する制御ステップとを有することを特徴とする。
【００１０】
上記目的を達成するために、請求項６記載の画像読取装置の制御方法は、アプリケーションを動作させて画像読取装置を制御する情報処理装置に接続され、該情報処理装置に送出される画像データを搬送路上を搬送される原稿から読み取る読取手段と、原稿の搬送状態に応じて所定のエラーを検知して前記情報処理装置に当該所定のエラーの内容を示すエラー検知情報を送出するエラー検知手段と、搬送路から原稿が排出されたことを検出する排紙検出手段とを備える画像読取装置の制御方法において、前記情報処理装置に送信した所定のエラー検知情報を前記アプリケーションに通知するか否かを設定するエラー後処理設定工程と、前記エラー後処理設定工程にて所定のエラー検知情報を前記アプリケーションに通知しないように設定がなされている場合、前記読取手段により画像データが読み取られた原稿の排紙を前記排紙検出手段により検出するまでは、当該原稿からの読取済み画像データの少なくとも一部分の送出を保留する制御工程とを有することを特徴とする。
【００１１】
上記目的を達成するために、請求項９記載のプログラムは、アプリケーションを動作させて画像読取装置を制御する情報処理装置に接続され、該情報処理装置に送出される画像データを搬送路上を搬送される原稿から読み取る読取手段と、原稿の搬送状態に応じて所定のエラーを検知して前記情報処理装置に当該所定のエラーの内容を示すエラー検知情報を送出するエラー検知手段と、搬送路から原稿が排出されたことを検出する排紙検出手段とを備える画像読取装置の制御方法をコンピュータに実行させるプログラムにおいて、前記情報処理装置に送信した所定のエラー検知情報を前記アプリケーションに通知するか否かを設定するエラー後処理設定ステップと、前記エラー後処理設定ステップにより所定のエラー検知情報を前記アプリケーションに通知しないように設定がなされている場合、前記読取手段により画像データが読み取られた原稿の排紙を前記排紙検出手段により検出するまでは、当該原稿からの読取済み画像データの少なくとも一部分の送出を保留する制御ステップとを有することを特徴とする。
【００１２】
上記目的を達成するために、請求項１０記載の情報処理装置の制御方法は、搬送路上を搬送される原稿の画像を読み取る画像読取装置に接続され、該画像読取装置から送出される画像データ及び所定のエラー検知情報及び該原稿が排紙されたことを示す原稿排紙情報を受信し、アプリケーションを動作させて前記画像読取装置を制御する情報処理装置の制御方法において、前記画像読取装置から受信した所定のエラー検知情報を前記アプリケーションに通知するか否かを設定するエラー後処理設定工程と、前記エラー後処理設定工程にて所定のエラー検知情報を前記アプリケーションに通知しないように設定がなされている場合、前記受信した原稿排紙情報に基づき、前記画像読取装置により画像データが読み取られた原稿の排紙を検出するまで、当該原稿からの読取済み画像データの少なくとも一部分の前記アプリケーションへの引渡しを保留する制御工程とを有することを特徴とする。
【００１３】
上記目的を達成するために、請求項１２記載のプログラムは、搬送路上を搬送される原稿の画像を読み取る画像読取装置に接続され、該画像読取装置から送出される画像データ及び所定のエラー検知情報及び該原稿が排紙されたことを示す原稿排紙情報を受信し、アプリケーションを動作させて前記画像読取装置を制御する情報処理装置の制御方法をコンピュータに実行させるプログラムにおいて、前記画像読取装置から受信した所定のエラー検知情報を前記アプリケーションに通知するか否かを設定するエラー後処理設定ステップと、前記エラー後処理設定ステップにて所定のエラー検知情報を前記アプリケーションに通知しないように設定がなされている場合、前記受信した原稿排紙情報に基づき、前記画像読取装置により画像データが読み取られた原稿の排紙を検出するまで、当該原稿からの読取済み画像データの少なくとも一部分の前記アプリケーションへの引渡しを保留する制御ステップとを有することを特徴とする。
【発明の効果】
【００１４】
本発明によれば、エラー検知時に情報処理装置またはアプリケーションにエラーを通知するか否かを予め設定し、エラーを通知しない設定がなされている場合、原稿の排紙が検出されるまでは、情報処理装置またはアプリケーションへの画像データの送出または引渡しを保留する。これにより、エラー検知時に不要な再読取処理や不要な画像確認を行うことなく、読み取り作業の効率を向上させることができる。
【発明を実施するための最良の形態】
【００１５】
以下、本発明の実施の形態を図面を参照して詳細に説明する。
【００１６】
［第１の実施形態］
図１は、本発明の第１の実施形態に係る画像読取装置の外観を示す斜視図である。
【００１７】
図１において、画像読取装置２００は、複数枚の原稿４０１を載置可能な原稿台４０２と、排紙された原稿４０１が載置される排紙台４０３と、本装置を制御するための操作パネル４０４と、原稿４０１の載置位置を規制する原稿規制板４０５とで構成される。画像読取装置２００は、後述するパーソナルコンピュータ（以下、単に「ＰＣ」という。）２１４に周知のＳＣＳＩ（Ｓｍａｌｌ Ｃｏｍｐｕｔｅｒ Ｓｙｓｔｅｍ Ｉｎｔｅｒｆａｃｅ）を介して接続されている。ＰＣ２１４には、画像読取装置２００を制御するためのスキャナドライバや画像キャプチャアプリケーションがインストールされており、これらにより画像読取装置２００に画像を読み取らせることが可能となっている。
【００１８】
なお、画像読取装置２００は、ＳＣＳＩを介してＰＣと接続されているが、周知のＵＳＢ（Ｕｎｉｖｅｒｓａｌ Ｓｅｒｉａｌ Ｂｕｓ）やＩＥＥＥ１３９４を介してＰＣと接続されていてもよい。
【００１９】
図２は、図１の画像読取装置２００の概略縦断面図である。
【００２０】
図２において、画像読取装置２００は、給紙ローラ５０２と、給紙ローラ５０２とは逆方向に回転する分離ローラ５０３と、原稿４０１の有無を検知する給紙センサ５０４と、搬送路上の原稿４０１の重送を検知する重送検知センサ５０５とを備える。また、原稿４０１の通過有無を検知するレジストセンサ５０６と、原稿４０１の表面の画像を読み取る表面画像読取ユニット５０７と、原稿４０１の裏面の画像を読み取る裏面画像読取ユニット５０８とを備える。さらに、排紙ローラ５１０に追従して回る排紙従動ローラ５１２と、給紙ローラ５０２、分離ローラ５０３及び排紙ローラ５１０を駆動するメインモータ５０９と、排紙される原稿４０１を検知する排紙センサ５１１とを備える。
【００２１】
図３は、図２の画像読取装置２００及びＰＣ２１４の内部構成を示すブロック図である。
【００２２】
図３において、画像読取装置２００は、原稿４０１の表面の画像を読み取る表面画像読取センサ部２０１ｆ（読取手段）と、原稿４０１の裏面の画像を読み取る裏面画像読取センサ部２０１ｂ（読取手段）を備える。また、読み取った原稿表面と原稿裏面の画像データを合成する画像合成部２０２と、合成された画像データに対して色調調整などの所定の画像処理を行う画像処理部２０３と、画像処理された画像データを記憶するメモリ２０４とを備える。表面画像読取センサ部２０１ｆは表面画像読取ユニット５０７に内蔵されており、裏面画像読取センサ部２０１ｂは裏面画像読取ユニット５０８に内蔵されている。
【００２３】
さらに、原稿４０１を搬送するための駆動制御部２０５（搬送手段）と、搬送路上の原稿４０１の有無を検知する原稿検知センサ制御部２０６（エラー検知手段、排紙検出手段）と、本装置を制御するＣＰＵ２０８とを備える。また、ＣＰＵ２０８が実行する各種の制御プログラムを保持するフラッシュメモリ２０７と、駆動制御部２０５などを制御するためのタイミング信号等を生成するタイマ２０９と、画像データ等を送受信するＳＣＳＩ制御部２１０とを備える。さらに、搬送路上の原稿の厚さにより原稿の重送の有無を検知する重送検知センサ制御部２１１（エラー検知手段）と、操作パネル４０４上に配置されたＬＣＤ（Liquid Crystal Display）１８０３の表示を制御するＬＣＤ制御部２１２とを備える。さらに、操作パネル４０４上のモード設定ボタンを制御するスイッチ制御部２１３（エラー後処理設定手段）を備える。
【００２４】
原稿検知センサ制御部２０６には、給紙センサ５０４、レジストセンサ５０６、及び排紙センサ５１１が接続され、重送検知センサ制御部２１１には、重送検知センサ５０５が接続されている。原稿検知センサ制御部２０６及び重送検知センサ制御部２１１は、原稿４０１の搬送状態に応じて重送エラーまたはＪＡＭエラーを検知する。
【００２５】
ＰＣ２１４は、画像読取装置２００と接続するためのインターフェース２１９（Ｉ／Ｆ）と、ＣＰＵ２１７と、ＲＯＭ２１５と、ＲＡＭ２１６と、マウス及びキーボードを含む入力装置２２１やディスプレイ２２０と接続するためのＩ／Ｏポート２１８とを有する。
【００２６】
図４は、画像読取装置２００上の操作パネル４０４の外観を示す図であり、（ａ）は重送エラー検知時の読み取り継続設定画面の表示例、（ｂ）は重送エラー検知時のエラー通知設定画面の表示例を示す。
【００２７】
操作パネル４０４は、画像読取装置２００の状態、重送検知の有効／無効を設定、ならびに後述する重送エラー及びＪＡＭエラー検知（滞留検知）時の読み取りを継続するか否かを設定するためのモード設定状態等を表示するＬＣＤ１８０３を備える。また、原稿４０１の画像読み取りを開始させるためのスタートボタン１８０４と、画像読み取りを停止させるためのストップボタン１８０５と、モード設定を行うためのモード設定ボタン１８０６とを備える。さらに、モード設定ボタン１８０６の押下後に各種モードの設定を変更するための選択ボタン１８０１，１８０２を備える。
【００２８】
モード設定ボタン１８０６や選択ボタン１８０１，１８０２等を操作することにより、後述する重送エラーの検知後及びＪＡＭエラーの検知後に原稿の画像読み取り（スキャン）を継続するか否かを設定することが可能である。このときに設定された設定値がフラッシュメモリ２０７に記憶される。また、後述する図７のステップＳ８０３で重送検知エラーをＰＣ２１４に通知するかを判別するための設定値、図１９のステップＳ２００４で重送検知エラーを画像キャプチャアプリケーションに通知するかを判別するための設定値を設定することが可能である。また、後述する図８のステップＳ９０３でＪＡＭ検知エラーをＰＣ２１４に通知するかを判別するための設定値、図２０のステップＳ２１０４でＪＡＭ検知エラーを画像キャプチャアプリケーションに通知するかを判別するための設定値を設定することが可能である。
【００２９】
画像読取装置２００では、読み取り開始前に、ＳＣＳＩ制御部２１０経由でＰＣ２１４から原稿の読み取り設定、画像読み取り開始が行われる。また、操作パネル４０４上のボタン操作により、画像読み取り開始／停止の有効／無効の切り替えを行うことが可能である。
【００３０】
次に、画像読取装置２００における原稿４０１の画像読取処理（画像取込処理、画像送出処理）について説明する。なお、画像取込処理及び画像送出処理は、ＣＰＵ２０８にて並列に行われる処理である。また、以下に説明する処理は、本発明の一実施形態として、操作パネル４０４による画像読取開始／停止を有効設定とした場合の処理を示すものであり、本実施の形態の制御方法に限定されるものではない。また、以下の処理は、フラッシュメモリ２０７に格納されたプログラムがＣＰＵ２０８により読み出されて実行されるものである。
【００３１】
図５ａ及び図５ｂは、画像読取装置２００における画像取込処理を示すフローチャートである。
【００３２】
図５ａにおいて、画像読取装置２００は、まず、ＰＣ２１４からＳＣＳＩ制御部２１０を介して画像読み取り開始が通知されると、スタートボタン１８０４が押下されたか否かを判別する（ステップＳ１３０１）。この判別の結果、スタートボタン１８０４が押下された場合は（ステップＳ１３０１でＹＥＳ）、給紙センサ５０４により原稿４０１が存在することを確認する（ステップＳ１３０３）。
【００３３】
次に、給紙センサ５０４により原稿４０１が存在することを確認した後（ステップＳ１３０３でＹＥＳ）、画像読取装置２００は、ＰＣ２１４にＳＣＳＩ制御部２１０を介して画像読み取り開始完了を通知する（ステップＳ１３０４）。その後、再度、給紙センサ５０４により原稿４０１が存在することを確認した後（ステップＳ１３０５でＹＥＳ）、メインモータ５０９を駆動して原稿４０１の給紙を開始する（図５ｂのステップＳ１３０６）。原稿台４０２に載置された原稿束の原稿４０１は、給紙ローラ５０２、分離ローラ５０３による周知の原稿分離機構により１枚ずつ分離され、装置内へ給紙される。
【００３４】
一方、スタートボタン１８０４が押下されず（ステップＳ１３０１でＮＯ）、かつストップボタン１８０５が押下されたときは（ステップＳ１３０２でＹＥＳ）、後述する図６の画像取込終了処理（ステップＳ１３２０）を実行する。
【００３５】
次に、装置内へ給紙された原稿４０１の先端がレジストセンサ５０６を通過し（ステップＳ１３０７でＹＥＳ）、その一定時間後に表面画像読取センサ部２０１ｆ及び裏面画像読取センサ部２０１ｂが原稿４０１の画像読み取りを開始する（ステップＳ１３０８）。
【００３６】
一方、原稿４０１の先端がレジストセンサ５０６を通過するまでの間（ステップＳ１３０７でＮＯ）、重送検知センサ５０５により原稿４０１の重送を検知したか否かを判定する（ステップＳ１３１４）。この判定の結果、重送を検知したときは（ステップＳ１３１４でＹＥＳ）、後述する重送後処理（ステップＳ１３２１）を実行する。一方、重送を検知していない場合（ステップＳ１３１４でＮＯ）は、ＪＡＭを検知したか否かを判別し（ステップＳ１３１５）、ＪＡＭを検知した場合（ステップＳ１３１５でＹＥＳ）、後述するＪＡＭ後処理（ステップＳ１３２２）を実行する。一方、ＪＡＭを検知していないときは（ステップＳ１３１５でＮＯ）、ステップＳ１３０７へ戻る。
【００３７】
原稿４０１の画像読み取りが開始された後、その後端がレジストセンサ５０６を通過し（ステップＳ１３０９でＹＥＳ）、その一定時間後に表面画像読取センサ部２０１ｆ及び裏面画像読取センサ部２０１ｂが画像読み取りを終了する（ステップＳ１３１０）。読み取られた原稿４０１の画像は、後述する画像送出処理により、ＳＣＳＩ制御部２１０を介してＰＣ２１４に送出される。
【００３８】
一方、原稿４０１の後端がレジストセンサ５０６を通過するまでの間（ステップＳ１３０９でＮＯ）、重送検知センサ５０５により原稿４０１の重送を検知したか否かを判定する（ステップＳ１３１６）。この判定の結果、重送を検知したときは（ステップＳ１３１６でＹＥＳ）、後述する重送後処理（ステップＳ１３２１）を実行する。一方、重送を検知していないときは（ステップＳ１３１６でＮＯ）、ＪＡＭを検知したか否かを判別し（ステップＳ１３１７）、ＪＡＭを検知したときは（ステップＳ１３１７でＹＥＳ）、後述するＪＡＭ後処理（ステップＳ１３２２）を実行する。一方、ＪＡＭを検知していないときは（ステップＳ１３１７でＮＯ）、ステップＳ１３０９へ戻る。
【００３９】
なお、図示しないが、画像読み取り中、ＪＡＭを検知した場合は、表面画像読取センサ部２０１ｆ及び裏面画像読取センサ部２０１ｂを制御して原稿４０１の画像読み取りを中断する。
【００４０】
次に、原稿４０１の後端が排紙センサ５１１を通過した場合（ステップＳ１３１１でＹＥＳ）、原稿４０１の後端が排紙センサ５１１を通過したことを示す原稿排紙情報をメモリ２０４に保持する（ステップＳ１３１２）。そして、原稿４０１を排紙台４０３へ排紙してメインモータ５０９を停止し（ステップＳ１３１３）、ステップＳ１３０５へ戻って処理を繰り返す。原稿台４０２に載置された複数枚の原稿４０１をすべて読み取り終え、給紙センサ５０４により原稿４０１を検知しなくなったときは（ステップＳ１３０５でＮＯ）、後述する画像取込終了処理（ステップＳ１３２０）を実行する。
【００４１】
一方、原稿４０１の後端が排紙センサ５１１を通過するまでの間（ステップＳ１３１１でＮＯ）、ＪＡＭを検知したか否かを判別する（ステップＳ１３１８）。その結果、ＪＡＭを検知したときは（ステップＳ１３１８でＹＥＳ）、後述するＪＡＭ後処理（ステップＳ１３２２）を実行する。一方、ＪＡＭを検知していないときは（ステップＳ１３１８でＮＯ）、ステップＳ１３１１へ戻る。
【００４２】
図６は、図５ａにおけるステップＳ１３２０の画像取込終了処理を示すフローチャートである。
【００４３】
図６において、画像取込終了処理としてメインモータ５０９を停止（ステップＳ７０１）した後、画像読み取りが終了した理由がエラーか否かを判別する（ステップ７０２）。この結果、終了理由がエラーの場合（ステップＳ７０２でＹＥＳ）は、エラーによる終了理由をＰＣ２１４に通知して（ステップＳ７０３）、本処理を終了する。
【００４４】
一方、終了理由がエラーでない場合（ステップＳ７０２でＮＯ）、次の原稿がない旨をＰＣ２１４に通知して（ステップＳ７０４）、本処理を終了する。次の原稿がない旨を受け取ったＰＣ２１４は、スキャナドライバによりディスプレイ２２０に図１２に示す継続ダイアログ１２００を表示して、オペレータに画像読み取りを継続するか否かの判断を促す。
【００４５】
なお、ステップＳ７０３，Ｓ７０４におけるＰＣ２１４へのエラー等の通知は、図５ａの画像取込処理開始からステップＳ１３０４での画像読み取り開始完了通知までであり、その後のエラー通知は、後述する画像送出処理内で行われる。
【００４６】
第１の実施形態における画像読取装置２００は、１ページ分の原稿の画像取込処理完了後に１ページ分の画像データをまとめて送出することで、１ページの原稿の画像送出処理完了となる画像送出処理を行う構成である。
【００４７】
図５ｂにおける重送後処理及びＪＡＭ後処理を図７、図８を参照して説明する。
【００４８】
図７は、図５ｂにおけるステップＳ１３２１の重送後処理を示すフローチャートである。
【００４９】
原稿搬送中はまたは画像読み取り中に、重送検知センサ５０５により原稿４０１の重送を検知した場合は、重送エラーを検知したことを示す重送検知エラー情報（エラー検知情報）をメモリ２０４に保持し、メインモータ５０９を停止させる（ステップＳ８０１）。操作パネル４０４上のＬＣＤ１８０３に図１３に示す重送を検知した旨の重送検知エラー画面１３００を表示する（ステップＳ８０２）。そして、予めオペレータにより操作パネル４０４上から設定された設定値に基づいて重送検知エラーをＰＣ２１４に通知するか設定か否かを判別する（ステップＳ８０３）。この判別の結果、重送検知エラーを通知する設定であると判別した場合は（ステップＳ８０３でＹＥＳ）、重送検知エラー情報をエラーによる終了理由としてメモリ２０４に保持し（ステップＳ８０４）、前述した図６の画像取込終了処理を実行する。この画像取込終了処理では、図６のステップＳ７０３において、エラーによる終了の理由として重送検知エラーを検知した旨をＰＣ２１４に通知する。重送検知エラーを受け取ったＰＣ２１４は、スキャナドライバによりディスプレイ２２０に図１４に示すエラーダイアログ１４００を表示する。
【００５０】
一方、ステップＳ８０３の判別の結果、重送検知エラーを通知しない設定であると判別した場合（ステップＳ８０３でＮＯ）は、ステップＳ８０５に移行し、後述する図９の重送回復待ち処理を行う。
【００５１】
図８は、図５ｂにおけるステップＳ１３２２のＪＡＭ後処理を示すフローチャートである。
【００５２】
図８において、原稿搬送中または画像読み取り中に、ＪＡＭを検知した場合は、ＪＡＭ検知エラー情報（滞留検知エラー情報）をメモリ２０４に保持し、メインモータ５０９を停止する（ステップＳ９０１）。ここでのＪＡＭの検知ついては、給紙センサ５０４、レジストセンサ５０６、排紙センサ５１１、及びタイマ２０９により検知されたものが含まれる。例えば、給紙ＪＡＭ（図５ｂのステップＳ１３１５でＹＥＳ）や滞留ＪＡＭ（図５ｂのステップＳ１３１７でＹＥＳ）、排紙ＪＡＭ（図５ｂのステップＳ１３１８でＹＥＳ）などである。
【００５３】
ステップＳ９０１の後、操作パネル４０４上のＬＣＤ１８０３に図１５に示すＪＡＭを検知した旨のＪＡＭ検知エラー画面１５００を表示する（ステップＳ９０２）。そして、予めオペレータにより操作パネル４０４上から設定された設定値に基づいてＪＡＭ検知エラーをＰＣ２１４に通知するか設定であるか否かを判別する（ステップＳ９０３）。ここで、タイマ２０９によるＪＡＭ検知とは、上記各センサをＯＮ／ＯＦＦする際、タイマ２０９により計時しているカウンタ値を取得し、各センサ間を通過するのにかかる時間のカウンタ値との比較によりＪＡＭ検知を行うものである。
【００５４】
ステップＳ９０３の判別の結果、ＪＡＭ検知エラーを通知する設定であると判定した場合は（ステップＳ９０３でＹＥＳ）、ＪＡＭ検知エラー情報をエラーによる終了理由としてメモリ２０４に保持する（ステップＳ９０４）。そして、前述した図６の画像取込終了処理を実行する。この画像取込終了処理では、図６のステップＳ７０３において、エラーによる終了の理由としてＪＡＭ検知エラーを検知した旨をＰＣ２１４に通知する。ＪＡＭ検知エラーを受け取ったＰＣ２１４は、スキャナドライバによりディスプレイ２２０に図１６に示すエラーダイアログ１６００を表示する。
【００５５】
一方、ステップＳ９０３の判別の結果、ＪＡＭ検知エラーを通知しない設定であると判定した場合（ステップＳ９０３でＮＯ）、ステップＳ９０５に移行し、後述する図１０のＪＡＭ回復待ち処理を行う。
【００５６】
図９は、図７におけるステップＳ８０５の重送回復待ち処理を示すフローチャートである。
【００５７】
重送が発生した原稿４０１がオペレータにより取り除かれた後（ステップＳ１００１でＮＯ）、操作パネル４０４上のＬＣＤ１８０３に図１７に示すスキャンを継続するか否かのスキャン継続確認メッセージを表示する（ステップＳ１００２）。次に、スタートボタン１８０４が押下されたか否かを判別し（ステップＳ１００３）、スタートボタン１８０４が押下されたときは（ステップＳ１００３でＹＥＳ）、後述する図１１の画像送出処理の継続指示を出す（ステップＳ１００４）。そして、前述した図５ａのステップＳ１３０５へ戻り、画像読み取り前に予め設定され、メモリ２０４に記憶された設定値を読み出し、該設定値に基づいてスキャンを再開する。一方、スタートボタン１８０４が押下されず（ステップＳ１００３でＮＯ）、かつストップボタン１８０５が押下された場合（ステップＳ１００５でＹＥＳ）、後述する図１１の画像送出処理の中止指示を出す（ステップＳ１００６）。そして、前述した図６の画像取込終了処理を実行する。
【００５８】
図１０は、図８におけるステップＳ９０５のＪＡＭ回復待ち処理を示すフローチャートである。
【００５９】
ＪＡＭが発生した原稿４０１がオペレータにより取り除かれた後（ステップＳ１１０２でＮＯ）、操作パネル４０４上のＬＣＤ１８０３に図１７のスキャン継続確認メッセージ１７００を表示する（ステップＳ１１０２）。次に、スタートボタン１８０４が押下されたか否かを判別し（ステップＳ１１０３）、スタートボタン１８０４が押下されたときは（ステップＳ１１０３でＹＥＳ）、後述する図１１の画像送出処理の継続指示を出す（ステップＳ１１０４）。そして、前述した図５ａのステップＳ１３０５へ戻り、画像読み取り前に予め設定され、フラッシュメモリ２０７に記憶された設定値を読み出し、該設定値に基づいてスキャンを再開する。
【００６０】
一方、スタートボタン１８０４が押下されず（ステップＳ１１０３でＮＯ）、かつストップボタン１８０５が押下された場合（ステップＳ１１０５でＹＥＳ）、後述する図１１の画像送出処理の中止指示を出す（ステップＳ１１０６）。そして、前述した図６の画像取込終了処理を実行する。
【００６１】
図１１ａ〜図１１ｃは、画像読取装置２００における画像送出処理を示すフローチャートである。
【００６２】
前述したように、図５ｂのステップＳ１３０８にて画像読み取りが開始され、ステップＳ１３１０にて画像読み取りが終了すると、画像処理された画像データがメモリ２０４に記憶される。
【００６３】
ＰＣ２１４側のスキャナドライバは、ＳＣＳＩ制御部２１０を介して画像読み取り開始を指示した後、画像データ転送要求サイズを指定して、画像データ送出を指示する。
【００６４】
画像読取装置２００は、画像データ送出を指示されると、前述した図８のステップＳ９０１にてメモリ２０４に保持されたＪＡＭ検知エラー情報を用いて、画像データ送出待ちの原稿でＪＡＭを検知したか否かを判定する（ステップＳ１２０１）。この判定の結果、ＪＡＭを検知したときは（ステップＳ１２０１でＹＥＳ）、図１１ｃのステップＳ１２１３へ移行する一方、ＪＡＭを検知しなかったときは（ステップＳ１２０１でＮＯ）、ステップＳ１２０２へ移行する。
【００６５】
ステップＳ１２０２では、前述した図７のステップＳ８０１にてメモリ２０４に保持された重送検知エラー情報を用いて、画像データ送出待ちの原稿で重送を検知したか否かを判定する。この判定の結果、重送を検知したときは（ステップＳ１２０２でＹＥＳ）、図１１ｂのステップＳ１２０８へ移行する一方、重送を検知しなかったときは（ステップＳ１２０２でＮＯ）、ステップＳ１２０３へ移行する。
【００６６】
ステップＳ１２０３では、予めオペレータにより操作パネル４０４上から設定された設定値に基づいて重送検知エラーをＰＣ２１４に通知する設定か否かを判定する。この判定の結果、通知する設定でないと判定した場合、ステップＳ１２０５へ移行する一方、通知する設定であると判定した場合、ＪＡＭ検知エラーをＰＣ２１４に通知する設定か否かを判定する（ステップＳ１２０４）。この判定の結果、通知する設定でないと判定した場合、ステップＳ１２０５へ移行する。一方、通知する設定であると判定した場合、画像データの取り込みが終了次第、画像データを送信することが望ましいので、画像データ送出待ちの原稿の画像データの取り込みを終えたか否かを判定する（ステップＳ１２０６）（取込終了判定）。画像データ送出待ちの原稿の画像データの取り込みを終えた場合（ステップＳ１２０６でＹＥＳ）、画像データをＳＣＳＩ制御部２１０を介してＰＣ２１４へ送出し（ステップＳ１２０７）、画像送出を完了する。
【００６７】
ステップＳ１２０５では、図５ｂのステップＳ１３１２にてメモリ２０４に保持された原稿排紙情報を用いて、画像データ送出待ちの原稿後端を排紙センサ５１１で検知したか否かを判定する（ステップＳ１２０５）。画像データ送出待ちの原稿後端を排紙センサ５１１で検知していない場合（ステップＳ１２０５でＮＯ）は、ステップＳ１２０１に戻る。一方、画像データ送出待ちの原稿後端を排紙センサ５１１で検知した場合（ステップＳ１２０５でＹＥＳ）、画像データ送出待ちの原稿の画像データの取り込みを終えたか否かを判定する（ステップＳ１２０６）。画像データ送出待ちの原稿の画像データの取り込みを終えた場合（ステップＳ１２０６でＹＥＳ）、画像データをＳＣＳＩ制御部２１０を介してＰＣ２１４へ送出し（ステップＳ１２０７）、画像送出を完了する。
【００６８】
図１１ｃにおいて、ステップＳ１２１３では、メモリ２０４に保持された画像データ送出待ちの原稿の画像データを消去する。その後、予めオペレータにより操作パネル４０４上から設定された設定値に基づいてＪＡＭ検知エラーをＰＣ２１４に通知する設定か否かを判別する（ステップＳ１２１４）。この判別の結果、ＪＡＭ検知エラーを通知する設定であると判定した場合（ステップＳ１２１４でＹＥＳ）、ＳＣＳＩ制御部２１０経由でＪＡＭ検知エラーを通知し（ステップＳ１２１６）、画像送出処理を中止する。
【００６９】
一方、ステップＳ１２１４の判別の結果、ＪＡＭ検知エラーを通知しない設定であると判定した場合（ステップＳ１２１４でＮＯ）、画像送出処理の中止指示待ち（ステップＳ１２１５）、画像送出処理の継続指示待ち（ステップＳ１２１７）を行う。画像送出処理の中止指示を受け付けた場合（ステップＳ１２１５でＹＥＳ）、画像送出処理を中止する。また、画像送出処理の継続指示を受け付けた場合（ステップＳ１２１７でＹＥＳ）、後続の原稿の画像データ送出処理を行うため、図１１ａのステップＳ１２０１に戻る。
【００７０】
図１１ｂにおいて、ステップＳ１２０８では、メモリ２０４に保持された画像データ送出待ちの原稿の画像データを消去する。その後、予めオペレータにより操作パネル４０４上から設定された設定値に基づいて重送検知エラーをＰＣ２１４に通知する設定か否かを判別する（ステップＳ１２０９）。この判別の結果、重送検知エラーを通知する設定であると判定した場合（ステップＳ１２１９でＹＥＳ）、ＳＣＳＩ制御部２１０経由で重送検知エラーを通知し（ステップＳ１２１１）、画像送出処理を中止する。
【００７１】
一方、ステップＳ１２０９の判別の結果、重送検知エラーを通知しない設定であると判定した場合（ステップＳ１２０９でＮＯ）、画像送出処理の中止指示待ち（ステップＳ１２１０）、画像送出処理の継続指示待ち（ステップＳ１２１２）を行う。画像送出処理の中止指示を受け付けた場合（ステップＳ１２１０でＹＥＳ）、画像送出処理を中止する。また、画像送出処理の継続指示を受け付けた場合（ステップＳ１２１２でＹＥＳ）、後続の原稿の画像データ送出処理を行うため、ステップＳ１２０１に戻る。
【００７２】
本実施形態では、重送検知エラー及び／又はＪＡＭ検知エラーをＰＣ２１４に通知しない設定がなされている場合、排紙センサで原稿の後端が検出されるまで、すなわち排紙が検出されるまではＰＣ２１４への画像データの送出を保留する。これにより、重送検知エラーまたはＪＡＭ検知エラーにより搬送が停止した場合、装置内に残された原稿の画像データは画像処理装置２００からＰＣ２１４に送出されないため、装置内に残された原稿から読み取りを再開すればよい。また、排出された原稿及び装置内に残された原稿のいずれまでが読み取られたかを確認するという煩わしさを無くすことができる。
【００７３】
このように、画像読取装置２００内に重送を発生した原稿４０１を取り除き、再度原稿台４０２に載置してそのままスタートボタン１８０４を押下すれば、それ以降の原稿の読み取りを続けて行うことができる。また、オペレータがエラー検知時に再設定を行うことなく原稿画像の読み取りを行うことができる。
【００７４】
また、画像読取装置２００内に滞留している原稿４０１を取り除き、再度原稿台４０２に載置してスタートボタン１８０４を押下することにより、それ以降の原稿の画像読み取りを続けて行うことができる。また、オペレータがエラー検知時に再設定を行うことなく原稿画像の読み取りを行うことができる。さらに、原稿の排紙を検出するまで、当該原稿の画像データの送出を完了しないため、排出されていない原稿から再度読み取ればよいため、読み取り作業の効率を向上させることができる。
【００７５】
［第２の実施形態］
次に、本発明の第２の実施の形態に係る画像読取装置の説明を行う。本発明の第２の実施の形態に係る画像読取装置は、その構成（図１〜図４）が上記第１の実施の形態に係る画像読取装置と同じであり、第１の実施の形態と同様の部分については、同一の符号を用いてその説明を省略する。以下に、上記第１の実施の形態と異なる点のみを説明する。
【００７６】
第２の実施形態における画像読取装置２００は、１ページ分の原稿の画像取込処理完了前から、ＰＣ２１４からの要求分の画像データがメモリ２０４にある場合に順次画像データを送出する。そして、１ページ分の原稿の画像取込処理完了後に残りの画像データを送出することで、１ページの原稿の画像送出処理完了となる画像送出処理を行う構成である。
【００７７】
第２の実施形態における重送後処理及びＪＡＭ後処理を図１９、図２０を参照して説明する。
【００７８】
図１９は、第２の実施形態における重送後処理を示すフローチャートである。
【００７９】
図１９において、原稿搬送中または画像読み取り中に、重送検知センサ５０５により原稿４０１の重送を検知した場合は、重送エラーを検知したことを示す重送検知エラー情報をメモリ２０４に保持し、メインモータ５０９を停止させる（ステップＳ２００１）。操作パネル４０４上のＬＣＤ１８０３に図１３の重送検知エラー画面１３００を表示し（ステップＳ２００２）、重送検知エラー情報をエラーによる終了理由としてメモリ２０４に保持する（ステップＳ２００３）。
【００８０】
さらに、予めオペレータにより操作パネル４０４上から設定された設定値に基づいて重送検知エラーを画像キャプチャアプリケーションに通知する設定か否かを判別する（ステップＳ２００４）。この判別の結果、重送検知エラーを通知する設定である場合は（ステップＳ２００４でＹＥＳ）、前述した図６の画像取込終了処理を実行する。この画像取込終了処理では、図６のステップＳ７０３において、エラーによる終了の理由として重送検知エラーを検知した旨をＰＣ２１４に通知する。重送検知エラーを受け取ったＰＣ２１４は、スキャナドライバによりディスプレイ２２０に図１４に示すエラーダイアログ１４００を表示する。
【００８１】
一方、ステップＳ２００４の判別の結果、重送検知エラーを通知しない設定であると判別した場合（ステップＳ２００４でＮＯ）、ステップＳ２００５に移行し、後述する図２１の重送回復待ち処理を行う。
【００８２】
図２０は、第２の実施形態におけるＪＡＭ後処理を示すフローチャートである。
【００８３】
図２０において、原稿搬送中または画像読み取り中に、ＪＡＭを検知した場合は、ＪＡＭ検知エラー情報（滞留検知エラー情報）をメモリ２０４保持し、メインモータ５０９を停止する（ステップＳ２１０１）。ここでのＪＡＭの検知については、給紙センサ５０４、レジストセンサ５０６、排紙センサ５１１、及びタイマ２０９により検知されたものが含まれる。例えば、給紙ＪＡＭ（図５ｂのステップＳ１３１５でＹＥＳ）や滞留ＪＡＭ（図５ｂのステップＳ１３１７でＹＥＳ）、排紙ＪＡＭ（図５ｂのステップＳ１３１８でＹＥＳ）などである。
【００８４】
ステップＳ２１０１の後、操作パネル４０４上のＬＣＤ１８０３に図１５に示すＪＡＭ検知エラー画面１５００を表示し（ステップＳ２１０２）、ＪＡＭ検知エラー情報をエラーによる終了理由としてメモリ２０４に保持する（ステップＳ２１０３）。
【００８５】
さらに、予めオペレータにより操作パネル４０４上から設定された設定値に基づいてＪＡＭ検知エラーを画像キャプチャアプリケーションに通知する設定か否かを判別する（ステップＳ２１０４）。ここで、タイマ２０９によるＪＡＭ検知とは、上記各センサをＯＮ／ＯＦＦする際、タイマ２０９により計時しているカウンタ値を取得し、各センサ間を通過するのにかかる時間のカウンタ値との比較によりＪＡＭ検知を行うものである。
【００８６】
ステップＳ２１０４の判別の結果、ＪＡＭ検知エラーを通知する設定であると判定した場合は（ステップＳ２１０４でＹＥＳ）、前述した図６の画像取込終了処理を実行する。この画像取込終了処理では、ステップＳ７０３において、エラーによる終了の理由としてＪＡＭ検知エラーを検知した旨をＰＣ２１４に通知する。ＪＡＭ検知エラーを受け取ったＰＣ２１４は、スキャナドライバによりディスプレイ２２０に図１６に示すエラーダイアログ１６００を表示する。
【００８７】
一方、ステップＳ２１０４の判別の結果、ＪＡＭ検知エラーを通知しない設定であると判別した場合（ステップＳ２１０４でＮＯ）、ステップＳ２１０５へ移行し、後述する図２２のＪＡＭ回復待ち処理を行う。
【００８８】
図２１は、図１９のステップＳ２００５における重送回復待ち処理を示すフローチャートである。
【００８９】
画像読取装置２００内で重送が発生した原稿４０１がオペレータにより取り除かれた後（ステップＳ１４０１でＮＯ）、操作パネル４０４上のＬＣＤ１８０３に図１７のスキャン継続確認メッセージ１７００を表示する（ステップＳ１４０２）。次に、スタートボタン１８０４が押下されたか否かを判別する（ステップＳ１４０３）。スタートボタン１８０４が押下されたときは（ステップＳ１４０３でＹＥＳ）、図１７のスキャン継続確認メッセージ表示時にスタートボタン１８０４が押下された旨をＰＣ２１４に通知し（ステップＳ１４０５）、前述した図６の画像取込終了処理を実行する。
【００９０】
一方、スタートボタン１８０４が押下されず（ステップＳ１４０３でＮＯ）、かつストップボタン１８０５が押下されたときは（ステップＳ１４０４でＹＥＳ）、ステップＳ１４０６へ移行する。ステップＳ１４０６では、図１７のスキャン継続確認メッセージ表示時にストップボタンを押下された旨をＰＣ２１４に通知する。その後、前述した図６の画像取込終了処理を実行する。この画像取込終了処理では、図６のステップＳ７０３において、エラーによる終了の理由として重送検知エラーを検知した旨をＰＣ２１４に通知する。
【００９１】
図２２は、図２０のステップＳ２１０５におけるＪＡＭ回復待ち処理を示すフローチャートである。
【００９２】
画像読取装置２００内でＪＡＭが発生した原稿４０１がオペレータにより取り除かれた後（ステップＳ１５０１でＮＯ）、操作パネル４０４上のＬＣＤ１８０３に図１７のスキャン継続確認メッセージ１７００を表示する（ステップＳ１５０２）。次に、スタートボタン１８０４が押下されたか否かを判別し（ステップＳ１５０３）、スタートボタン１８０４が押下されたときは（ステップＳ１５０３でＹＥＳ）、ステップＳ１５０５へ移行する。ステップＳ１５０５では、図１７のスキャン継続確認メッセージ表示時にスタートボタンを押下された旨をＰＣ２１４に通知する。その後、前述した図６の画像取込終了処理を実行する。
【００９３】
一方、スタートボタン１８０４が押下されず（ステップＳ１５０３でＮＯ）、かつストップボタン１８０５が押下されたときは（ステップＳ１５０４でＹＥＳ）、ステップＳ１５０６へ移行する。ステップＳ１５０６では、図１７のスキャン継続確認メッセージ表示時にストップボタンを押下された旨をＰＣ２１４に通知する。その後、前述した図６の画像取込終了処理を実行する。この画像取込終了処理では、図６のステップＳ７０３において、エラーによる終了の理由としてＪＡＭ検知エラーを検知した旨をＰＣ２１４に通知する。
【００９４】
図２３ａ及び図２３ｂは、第２の実施形態に係る画像読取装置における画像送出処理を示すフローチャートである。
【００９５】
ＰＣ２１４側のスキャナドライバは、ＳＣＳＩ制御部２１０を介して画像読み取り開始を指示した後、画像データ転送要求サイズを指定して、原稿１ページを分割して複数回の画像データ送出を指示する。
【００９６】
一方、画像処理装置２００は、ＰＣ２１４側の画像読取開始指示に応じて画像読み取りを開始（図５ｂのステップＳ１３０８）し、画像読み取りが終了（ステップＳ１３１０）すると、その時点で未送出の画像データをメモリ２０４に記憶する。そして、画像読取装置２００は、ＰＣ２１４側から画像データ送出指示がなされると、図１９のステップＳ２００１にてメモリ２０４に保持された重送検知エラー情報を用いて、画像データ送出中の原稿で重送を検知したか否かを判定する（ステップＳ１６０１）。この判定の結果、重送を検知したときは、ステップＳ１６１３へ移行する一方、重送を検知していなかった場合は、ステップＳ１６０２へ移行する。
【００９７】
ステップＳ１６０２では、図２０のステップＳ２１０１にてメモリ２０４に保持されたＪＡＭ検知エラー情報を用いて、画像データ送出中の原稿でＪＡＭを検知したか否かを判別する。この判別の結果、ＪＡＭを検知したときは、ステップＳ１６１１へ移行する一方、ＪＡＭを検知していなかった場合、ＰＣ２１４から指定された要求サイズ分の画像データがメモリ２０４にあるかを判定する（ステップＳ１６０３）。ＰＣ２１４から指定された要求サイズ分の画像データがメモリ２０４にある場合（ステップＳ１６０３でＹＥＳ）、図２３ｂのステップＳ１６０５へ移行する。一方、ＰＣ２１４から指定された要求サイズ分の画像データがメモリ２０４にない場合（ステップＳ１６０３でＮＯ）、ステップＳ１６０４へ移行する。
【００９８】
ステップＳ１６０５では、送出する画像データで画像データ送出中の原稿の画像データは終了かどうかを判定する。送出する画像データで画像データ送出中の原稿の画像データは終了ではない場合（ステップＳ１６０５でＮＯ）、画像データをＳＣＳＩ制御部２１０を介して送出（ステップＳ１６１０）した後、再度ステップＳ１６０１に戻る。一方、送出する画像データで画像データ送出中の原稿の画像データが終了となる場合（ステップＳ１６０５でＹＥＳ）、ステップＳ１６０６へ移行する。
【００９９】
ステップＳ１６０４では、画像データ送出を繰り返した後、ＰＣ２１４から指定された要求サイズに満たないがメモリ２０４にある画像データで画像データ送出中の原稿の画像データが終了となる場合（ステップＳ１６０４でＹＥＳ）、ステップＳ１６０６へ進む。
【０１００】
ステップＳ１６０６では、予めオペレータにより操作パネル４０４上から設定された設定値に基づいて重送検知エラーをＰＣ２１４に通知する設定か否かを判別する。さらに、ステップＳ１６０７では、予めオペレータにより操作パネル４０４上から設定された設定値に基づいてＪＡＭ検知エラーをＰＣ２１４に通知する設定か否かを判別する。これらの判別の結果、重送検知エラー及びＪＡＭ検知エラーを通知する設定であると判定した場合（ステップＳ１６０６でＹＥＳ、ステップＳ１６０７でＹＥＳ）、未送出分の画像データをＳＣＳＩ制御部２１０を介して送出させることで（ステップＳ１６０９）、１ページ分の原稿の画像の送出を完了する。
【０１０１】
一方、ステップＳ１６０６またはステップＳ１６０７の判別の結果、重送検知エラーまたはＪＡＭ検知エラーを通知しない設定であると判定した場合（ステップＳ１６０６でＮＯまたはステップＳ１６０７でＮＯ）、ステップＳ１６０８へ移行する。
【０１０２】
ステップＳ１６０８では、図５ｂのステップＳ１３１２にてメモリ２０４に保持された排紙センサ５１１による原稿排紙情報を用いて、画像データ送出中の原稿の後端を排紙センサ５１１が検知したか否かを判定する（ステップＳ１６０８）。この結果、検知していない場合（ステップＳ１６０８でＮＯ）は、再度ステップＳ１６０１に戻るため画像データの送出が保留される。一方、画像データ送出中の原稿の後端を排紙センサ５１１が検知した場合（ステップＳ１６０８でＹＥＳ）、画像データをＳＣＳＩ制御部２１０を介して送出し（ステップＳ１６０９）、１ページ分の原稿の画像送出を完了する。
【０１０３】
ステップＳ１６１３では、メモリ２０４にある画像データ送出中の原稿の画像データを消去する。その後、ＳＣＳＩ制御部２１０経由で重送検知エラーを通知し（ステップＳ１６１４）、画像送出処理を中止する。
【０１０４】
ステップＳ１６１１では、メモリ２０４にある画像データ送出中の原稿の画像データを消去する。その後、ＳＣＳＩ制御部２１０経由でＪＡＭ検知エラーを通知し（ステップＳ１６１２）、画像送出処理を中止する。
【０１０５】
このように、原稿１ページの画像取込完了前からＰＣ２１４からの要求分の画像データがメモリ２０４にある場合に、順次画像データを送出しているとき、重送、ＪＡＭエラーを検知すると、検知した時点でメモリ２０４にある送出中の画像データを消去する。
【０１０６】
図２４は、ＰＣ２１４側のスキャナドライバによる画像取得処理を示すフローチャートである。
【０１０７】
オペレータにより画像キャプチャアプリケーションにて画像読取開始が指示された場合、画像キャプチャアプリケーションは、スキャナドライバに対して画像取得を指示する。一方、スキャナドライバは、画像読取装置２００に対し、ＳＣＳＩ制御部２１０を介して、画像読み取り開始を指示する（ステップＳ１７０１）。その後、画像データ転送要求サイズを指定して、画像データ送出を指示し、画像読取装置２００からの画像データ送出を待つ（ステップＳ１７０２）。画像データ送出指示終了後、画像読取装置２００からの画像データ送出が正常に行われたかどうかを判定する（ステップＳ１７０３）。そして、画像データの送出が正常に行われた場合（ステップＳ１７０３でＹＥＳ）、１ページ分の画像データを取得したかどうかを判定する（ステップＳ１７０４）。１ページ分の画像データを取得し終わっていない場合（ステップＳ１７０４でＮＯ）は、再度ステップＳ１７０２に戻り、画像送出を指示する。画像送出指示を繰り返した後、１ページ分の画像データを取得し終わった場合（ステップＳ１７０４でＹＥＳ）は、画像ファイル生成のため画像キャプチャアプリケーションに取得した画像データを引渡し（ステップＳ１７０５）、後続原稿の画像データ取得を行うため、再度ステップＳ１７０２に戻る。
【０１０８】
一方、画像データ送出指示終了後、画像データ送出が正常に行われなかった場合（ステップＳ１７０３でＮＯ）、通知されたエラーが原稿無しエラーかどうかを判別する（ステップＳ１７０６）。この原稿無しエラーとは、前述した図６のステップＳ７０３で画像読取装置２００から通知されるものであり、画像送出指示に対して返信される。通知されたエラーが原稿無しエラーの場合（ステップＳ１７０６でＹＥＳ）、画像取得を終了する。なお、ここでの原稿無しでの画像取得終了は、正常終了に相当する。
【０１０９】
一方、通知されたエラーが原稿無しエラーでない場合（ステップＳ１７０６でＮＯ）、ステップＳ１７０９へ移行する。ステップＳ１７０９では、画像データ取得中の原稿における取得済み画像データを破棄し、画像キャプチャアプリケーションにエラーを通知して（ステップＳ１７１０）、画像取得を中止する。
【０１１０】
一方、第１の実施形態と同様に、画像読取装置２００では、図１１（ａ）、図１１（ｂ）と同様の、原稿後端を検知するまで画像データの送出を保留する処理を行う。ここで第１の実施形態と異なるのは、ステップＳ１２０３，Ｓ１２０４でのＰＣ２１４へのエラー通知が設定されているか否かに対して、本実施形態では、スキャナドライバからアプリケーションへのエラー通知が設定されているか否か、とする点である。また、送出の保留は１ページ単位でもよいが、少なくとも１部分の送出が保留されればよい。
【０１１１】
図２５ａ及び図２５ｂは、第２の実施形態での画像データ送出の保留をスキャナドライバから画像キャプチャアプリケーションへの画像データの引渡しの保留に置き換えた変形例での、スキャナドライバによる画像取得処理を示すフローチャートである。この場合、画像読取装置２００で読み取られた画像データは保留されることなくＰＣ２１４に送出される。なお、重送エラーとＪＡＭエラーの検知時の処理は省略するが、図１１ｂ、図１１ｃのフローチャートに準じた処理がスキャナドライバと画像キャプチャアプリケーションの間でのエラー通知、画像データの消去による引渡しの中止が行われる。
【０１１２】
オペレータにより画像キャプチャアプリケーションにて画像読取開始が指示された場合、画像キャプチャアプリケーションは、スキャナドライバに対して画像取得を指示する。一方、スキャナドライバは画像読取装置２００に対し、ＳＣＳＩ制御部２１０を介して画像読取開始を指示する（ステップＳ１８０１）。その後、画像データ転送要求サイズを指定して、画像データ送出を指示し、画像読取装置２００からの画像データ送出を待つ（ステップＳ１８０２）。画像データ送出指示終了後、画像読取装置２００からの画像データ送出が正常に行われたかどうかを判定する（ステップＳ１８０３）。そして、画像データの送出が正常に行われた場合（ステップＳ１８０３でＹＥＳ）、１ページ分の画像データを取得したかどうかを判定する（ステップＳ１８０４ａ）。１ページ分の画像データを取得し終わっていない場合（ステップＳ１８０４ａでＮＯ）は、再度ステップＳ１８０２に戻り、画像送出を指示する。画像送出指示を繰り返した後、１ページ分の画像データを取得し終わった場合（ステップＳ１８０４ａでＹＥＳ）は、重送検知エラーを画像キャプチャアプリケーションに通知する設定か否かを判定する（ステップＳ１８０４ｂ）。この判定の結果、通知する設定でないと判定した場合、ステップＳ１８０４ｄに移行する一方、通知する設定であると判定した場合、ＪＡＭ検知エラーをＰＣ２１４に通知する設定か否かを判定する（ステップＳ１８０４ｃ）。この判定の結果、通知する設定でないと判定した場合、ステップＳ１８０４ｄへ移行する。一方、通知する設定であると判定した場合、画像データを画像キャプチャアプリケーションに引渡す（ステップＳ１８０５）。
【０１１３】
ステップＳ１８０４ｄでは、画像読取装置２００から受信する原稿排紙情報により原稿の排紙が判断できなければステップＳ１８０４ｂに戻る。一方、原稿が排紙されたと判断すると（ステップＳ１８０４ｂでＹＥＳ）、画像データを画像キャプチャアプリケーションに引渡し（ステップＳ１８０５）、後続原稿の画像データ取得を行うため再度ステップＳ１８０２に戻る。
【０１１４】
一方、画像データ送出指示終了後、画像データ送出が正常に行われなかった場合（ステップＳ１８０３でＮＯ）、通知されたエラーが原稿無しエラーかどうか判別する（ステップＳ１８０６）。通知されたエラーが原稿無しエラーの場合（ステップＳ１８０６でＹＥＳ）、画像取得処理を終了する。
【０１１５】
一方、通知されたエラーが原稿無しエラーでない場合（ステップＳ１８０６でＮＯ）、通知されたエラーが原稿無しエラーでない場合（ステップＳ１８０６でＮＯ）、通知されたエラーが重送検知エラーか否か、ＪＡＭ検知エラーか否かを判定する（ステップＳ１８０７，ステップＳ１８０８）。通知されたエラーが重送検知エラーの場合には（ステップＳ１８０７でＹＥＳ）、図２５ｂのステップＳ１８１１へ移行し、通知されたエラーがＪＡＭ検知エラーの場合（ステップＳ１８０８でＹＥＳ）、図２５ｂのステップＳ１８１２へ移行する。一方、通知されたエラーが重送検知エラー及びＪＡＭ検知エラーでない場合（ステップＳ１８０７でＮＯ、ステップＳ１８０８でＮＯ）、ステップＳ１８０９へ移行して画像データ取得中の原稿における取得済み画像データを破棄し、画像キャプチャアプリケーションにエラーを通知して（ステップＳ１８１０）、画像取得を中止する。
【０１１６】
ステップＳ１８１１では、画像読取装置２００からＳＣＳＩ制御部２１０を介して、予めオペレータにより操作パネル４０４上からまたはＰＣ２１４の後述するコンフィグダイアログから設定された重送検知エラーを画像キャプチャアプリケーションに通知するか否かの設定値を取得し、その設定値を判定する。ステップＳ１８１２では、画像読取装置２００からＳＣＳＩ制御部２１０を介して、予めオペレータにより操作パネル４０４上からまたはＰＣ２１４の後述するコンフィグダイアログから設定されたＪＡＭ検知エラーを画像キャプチャアプリケーションに通知するか否かの設定値を取得し、その設定値を判定する。
【０１１７】
ステップＳ１８１１及びステップＳ１８１２の判定の結果、重送検知エラーまたはＪＡＭ検知エラーを通知する場合（ステップＳ１８１１でＹＥＳ、ステップＳ１８１２でＹＥＳ）、ステップＳ１８０９へ移行する。
【０１１８】
一方、重送検知エラー及びＪＡＭ検知エラーを通知しない場合（ステップＳ１８１１でＮＯ、ステップＳ１８１２でＮＯ）、ステップＳ１８１３へ移行する。
【０１１９】
ステップＳ１８１３では、画像読取装置２００からＳＣＳＩ制御部２１０を介して、図１７のスキャン継続確認メッセージ表示時にスタートボタン１８０４が押下されたか否かを判定する。スタートボタン１８０４が押下されたときは（ステップＳ１８１３でＹＥＳ）、画像データ取得中の原稿における取得済み画像データを破棄し（ステップＳ１８１６）、再度、画像読取開始を指示する（ステップＳ１８０１）。
【０１２０】
一方、図１７のスキャン継続確認メッセージ表示時にストップボタン１８０５を押下された場合（ステップＳ１８１４でＹＥＳ）は、画像データ取得中の原稿における取得済み画像データを破棄し（ステップＳ１８１５）、画像取得を終了する。
【０１２１】
ステップＳ１８１９では、画像データ取得中の原稿における取得済み画像データを破棄し、画像キャプチャアプリケーションにエラーを通知して（ステップＳ１８１０）、画像取得を中止する。
【０１２２】
第２の実施形態およびその変形例では、原稿１ページの画像取込処理完了前から、ＰＣ２１４からの要求分の画像データがメモリ２０４にある場合に順次画像データを送出し、原稿１ページの画像取込処理完了後に残りの画像データを送出する。そして、原稿１ページの画像送出処理完了となる画像送出処理を行う構成であるが、原稿１ページの画像取込処理完了後に、原稿１ページ分の画像データをまとめて送出することで原稿１ページの画像送出処理完了となる画像送出処理を行う構成であってもよい。
【０１２３】
このように、画像読取装置２００内に重送を発生した原稿４０１を取り除き、再度原稿台４０２に載置してスタートボタン１８０４を押下することにより、そのままスタートボタン１８０４を押下すれば、それ以降の原稿の読み取りを続けて行うことができる。また、オペレータがエラー検知時に再設定を行うことなく原稿画像の読み取りを行うことができる。
【０１２４】
また、このように、画像読取装置２００内に滞留している原稿４０１を取り除き、再度原稿台４０２に載置してスタートボタン１８０４を押下することにより、それ以降の原稿の画像読み取りを続けて行うことができる。また、オペレータがエラー検知時に再設定を行うことなく原稿画像の読み取りを行うことができる。
【０１２５】
さらに、原稿の排紙を検出するまで、当該原稿の画像データの送出または画像キャプチャアプリケーションへの引渡しを完了しないため、排出されていない原稿から再度読み取ればよいため、読み取り作業の効率を向上させることができる。
【０１２６】
上記第１、第２の実施の形態では、図１７に示したエラー後継続可否の表示を行っているが、第２の実施の形態においてはＰＣ２１４側のスキャナドライバによりディスプレイ２２０にエラー後継続可否の表示をするようにしてもよい。また上記第１、第２の実施の形態では、画像データの送出／引渡しの保留は、１ページまたは１ブロック単位で行っているが、少なくとも一部分の保留を行えばよい。
【０１２７】
また、上記実施の形態では、図４（ａ）及び図４（ｂ）のように、画像読取装置２００側でエラー検知時の読取継続／中止やエラー通知／非通知を設定することができる。しかしながら、ＰＣ２１４側のスキャナドライバ側でも、重送やＪＡＭによるエラーごとにエラー検知時の処理を設定可能にしてもよい。ＰＣ２１４側のスキャナドライバによるエラー検知時の読取継続／中止の設定画面（エラー処理コンフィグダイアログ１９０１）を図１８（ａ）に示す。また、エラー通知／非通知の設定画面（エラー処理コンフィグダイアログ１９０２）を図１８（ｂ）に示す。
【０１２８】
また、上記実施の形態では、ＪＡＭ検知を給紙センサ５０４、レジストセンサ５０６、排紙センサ５１１、及びタイマ２０９により行っている。しかし、メインモータ５０９がパルスモータである場合は、そのステップ数を計ってタイミングを取り、ＪＡＭを検知するようにしてもよい。
【０１２９】
また、上記実施の形態では、重送検知を原稿の厚さによる重送検知センサ制御部２１１により行っているが、原稿検知センサ制御部２０６による原稿長さの検知や超音波センサにより行うようにしてもよい。
【０１３０】
本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【０１３１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１３２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１３３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３４】
【図１】本発明の第１の実施形態に係る画像読取装置の外観を示す斜視図である。
【図２】図１の画像読取装置の概略縦断面図である。
【図３】図２の画像読取装置及びＰＣの内部構成を示すブロック図である。
【図４】画像読取装置上の操作パネルの外観を示す図であり、（ａ）は重送エラー検知時の読み取り継続設定画面の表示例、（ｂ）は重送エラー検知時のエラー通知設定画面の表示例を示す。
【図５ａ】画像読取装置における画像取込処理を示すフローチャートである。
【図５ｂ】画像読取装置における画像取込処理を示すフローチャートである。
【図６】図５ａにおけるステップＳ１３２０の画像取込終了処理を示すフローチャートである。
【図７】第１の実施形態における重送後処理を示すフローチャートである。
【図８】第１の実施形態におけるＪＡＭ後処理を示すフローチャートである。
【図９】第１の実施形態における重送回復待ち処理を示すフローチャートである。
【図１０】第１の実施形態におけるＪＡＭ回復待ち処理を示すフローチャートである。
【図１１ａ】第１の実施形態に係る画像読取装置における画像送出処理を示すフローチャートである。
【図１１ｂ】第１の実施形態に係る画像読取装置における画像送出処理を示すフローチャートである。
【図１１ｃ】第１の実施形態に係る画像読取装置における画像送出処理を示すフローチャートである。
【図１２】スキャナドライバにより表示される継続ダイアログの一例を示す図である。
【図１３】画像読取装置にて表示される重送検知エラー画面の一例を示す図である。
【図１４】スキャナドライバにより表示される重送検知時のエラーダイアログの一例を示す図である。
【図１５】画像読取装置にて表示されるＪＡＭ検知エラー画面の一例を示す図である。
【図１６】スキャナドライバにより表示されるＪＡＭ検知時のエラーダイアログの一例を示す図である。
【図１７】画像読取装置にて表示されるスキャン継続確認メッセージの一例を示す図である。
【図１８】スキャナドライバにより表示されるエラー検知時のエラー処理コンフィグダイアログの一例を示す図であり、（ａ）は読取継続／中止の設定画面の表示例、（ｂ）はエラー通知／非通知の設定画面の表示例を示す。
【図１９】第２の実施形態における重送後処理を示すフローチャートである。
【図２０】第２の実施形態におけるＪＡＭ後処理を示すフローチャートである。
【図２１】第２の実施形態における重送回復待ち処理を示すフローチャートである。
【図２２】第２の実施形態におけるＪＡＭ回復待ち処理を示すフローチャートである。
【図２３ａ】第２の実施形態に係る画像読取装置における画像送出処理を示すフローチャートである。
【図２３ｂ】第２の実施形態に係る画像読取装置における画像送出処理を示すフローチャートである。
【図２４】ＰＣ２１４側のスキャナドライバによる画像取得処理のフローチャートである。
【図２５ａ】ＰＣ２１４側のスキャナドライバによる画像取得処理のフローチャートである。
【図２５ｂ】ＰＣ２１４側のスキャナドライバによる画像取得処理のフローチャートである。
【符号の説明】
【０１３５】
２００  画像読取装置
２０１ｆ  表面画像読取センサ部
２０１ｂ  裏面画像読取センサ部
２０４  メモリ
２０８  ＣＰＵ
２１０  ＳＣＳＩ制御部
２１４  パーソナルコンピュータ
２１７  ＣＰＵ
４０４  操作パネル
５０４  給紙センサ
５０５  重送検知センサ
５１１  排紙センサ
１８０１，１８０２  操作パネル４０４上の選択ボタン
１８０３  操作パネル４０４上のＬＣＤ
１８０４  操作パネル４０４上のスタートボタン
１８０５  操作パネル４０４上のストップボタン
【図１】
2010041099.tif 000003
【図２】
2010041099.tif 000004
【図３】
2010041099.tif 000005
【図４】
2010041099.tif 000006
【図５ａ】
2010041099.tif 000007
【図５ｂ】
2010041099.tif 000008
【図６】
2010041099.tif 000009
【図７】
2010041099.tif 000010
【図８】
2010041099.tif 000011
【図９】
2010041099.tif 000012
【図１０】
2010041099.tif 000013
【図１１ａ】
2010041099.tif 000014
【図１１ｂ】
2010041099.tif 000015
【図１１ｃ】
2010041099.tif 000016
【図１２】
2010041099.tif 000017
【図１３】
2010041099.tif 000018
【図１４】
2010041099.tif 000019
【図１５】
2010041099.tif 000020
【図１６】
2010041099.tif 000021
【図１７】
2010041099.tif 000022
【図１８】
2010041099.tif 000023
【図１９】
2010041099.tif 000024
【図２０】
2010041099.tif 000025
【図２１】
2010041099.tif 000026
【図２２】
2010041099.tif 000027
【図２３ａ】
2010041099.tif 000028
【図２３ｂ】
2010041099.tif 000029
【図２４】
2010041099.tif 000030
【図２５ａ】
2010041099.tif 000031
【図２５ｂ】
2010041099.tif 000032